(57)【要約】【課題】  縦幅が２００ｍｍ以上２５０ｍｍ以下の比較的大きなディスプレーを有するノート型パソコンにあっては、遠近両用メガネをかけた操作者は、頻繁に顎を上げ下げすることで焦点を合わせて操作する必要があり、操作者にとって疲労や肩こりの原因となる。【解決手段】  操作状態にしたときに、ディスプレーの下端と、操作者から最も遠い位置にあるキートップとの距離を２０ｍｍ以下とすることで、遠近両用メガネを使用した操作者であっても、キーボード全体とディスプレー下端から２／３付近まで顎を上げ下げしなくても焦点を合わすことができ、疲労や肩こりを軽減できる。【選択図】図１
2009245410.tif 000002
【特許請求の範囲】
【請求項１】
開閉蓋を兼ねたディスプレー部と、キーボードを有する本体部と、前記ディスプレー部と前記本体部を接続する開閉ヒンジ部を有し、前記ディスプレー部に配置されたディスプレーの縦幅が２００ｍｍ以上２５０ｍｍ以下のノート型パソコンにおいて、
前記ディスプレー部を開いて操作状態にしたときに、前記ディスプレーの下端と、キーボードに配設された操作者から最も遠い位置に配置されたキートップとの距離が、２０ｍｍ以下であることを特徴とするノート型パソコン。
【請求項２】
前記開閉ヒンジ部の軸中心は、本体部のキートップ表面より裏面側であって、かつキーボードを平面的に見てキーボードの外周枠の操作者から遠い位置の辺を含む立平面から５ｍｍ以内の位置に設けたことを特徴とする、請求項１に記載のノート型パソコン。
【発明の詳細な説明】
【技術分野】
【０００１】  本発明は、ヒンジにより開閉する蓋を兼ねたディスプレー部を有するノート型パソコンに関するものである。
【背景技術】
【０００２】  従来の、縦幅が２００ｍｍ以上２５０ｍｍ以下程度の比較的大きなディスプレーを有するノート型パソコンにあっては、キーボードに配設された操作者から最も遠い位置に並べられたキートップと、ディスプレー下端との距離は５０ｍｍ〜１００ｍｍ程度である。【０００３】  前記従来のノート型パソコンを、遠近両用メガネを使用した操作者が操作するときの、操作者の発明者が調査した代表的な目の位置における、ディスプレーとキーボードに対する垂直視野角度の関係について、図６に例示して説明する。図６において、ノート型パソコン全体の側面図と、想定される操作者の操作時の目の位置２０ａを示し、目の位置から見て、キーボード５ａの操作者から最も近い位置のキートップ１１ａと、ディスプレー４ａのディスプレー上端部１２ａの垂直視野角度、及び累進レンズを使用した遠近両用メガネ（累進ＡＤＤ２．２５）で近距離として焦点が合う垂直視野角度の範囲１３ａを示す。図６における遠近両用メガネを使用した操作者が顎を上げ下げしないで焦点が合うディスプレー範囲は、ディスプレー下端６ａから１０６ｍｍ付近であり、ディスプレーの縦幅２１４ｍｍの約１／２程度までである。
【発明の開示】
【発明が解決しようとする課題】
【０００４】  パソコンを操作するとき、通常ディスプレーは顔の正面のやや下方に位置する。遠近両用メガネを使用した操作者にとっては、このディスプレー中央から上方の位置は中から遠距離を見る位置であるために、メガネの近焦点に合わせるために顎を上げてディスプレーに焦点を合わすことになる。一方、机上位置にあるキーボードはこの状態では視界からはずれてしまうめ、キーボードを見るときには顎を下げることになる。視力が正常な操作者や単焦点メガネを使用した操作者であれば目の移動で両方を見ることができるが、遠近両用メガネをかけた操作者は、頻繁に顎を上げ下げすることで焦点を合わせて操作する必要がある。一般に、ノート型パソコンのディスプレー位置は、デスクトップ型パソコンと比較して下方に位置することから、顎の上げ下げの幅は小さくできる。しかし、縦幅が２００ｍｍ以上２５０ｍｍ以下の比較的大きなディスプレーを有するノート型パソコンにあっては、焦点合わせのための顎の上げ下げは操作者にとって負担となるレベルであり、疲労や肩こりの原因となるという課題がある。
【課題を解決するための手段】
【０００５】  本発明は、上記課題を解決するためになされたもので、従来構造のノート型パソコンにおいてはディスプレー下端から１／２程度までしか焦点を合わすことができなかったが、ディスプレーの中央エリアを含むディスプレー下端から２／３付近まで顎を上下することなく焦点が合えば、実際にはディスプレーの中央付近を見て操作することがかなり多いことから、操作者の顎の上げ下げ回数は従来構造のノート型パソコンと比較して大幅に少なくなることに着目し、以下の構成を特徴とする。【０００６】（１）ディスプレーの縦幅が２００ｍｍ以上２５０ｍｍ以下のノート型パソコンにおいて、ディスプレー部を開いて操作状態にしたときに、前記ディスプレーの下端と、キーボードに配設された操作者から最も遠い位置にあるキートップとの距離を、２０ｍｍ以下とすることを特徴とし、この構造のノート型パソコンによれば遠近両用メガネを使用した操作者であっても、キーボード全体とディスプレー下端から２／３付近まで顎を上下することなく、目の移動だけで焦点を合わすことができる。また、使用するワープロソフト、表計算ソフト、ＣＡＤソフトなどのアプリケーションソフトの画面において、使用頻度の高いソフトボタンを画面の下方に配置すれば、操作者の顎の上げ下げ回数はより少なくなることも付記しておく。【０００７】（２）前記ディスプレーの下端と、キーボードに配設された操作者から最も遠い位置にあるキートップとの距離を２０ｍｍ以下とするための構造について、ディスプレー部及び本体部を接続する開閉ヒンジの軸中心を、本体部のキートップ表面より裏面側であって、かつキーボードを平面的に見てキーボードの外周枠の操作者から遠い位置の辺を含む立平面から５ｍｍ以内の位置に設けることを特徴とし、この構造によれば次に示す利点が得られる。すなわち、ディスプレー下端と操作者から最も遠い位置にあるキートップとの距離を２０ｍｍ以下とするためには、ディスプレーの下部の額縁幅をかなり小さくしなければならないという構造上の制約があったが、本構造によれば、ディスプレー下部の額縁幅を無理に小さくすることなく、ディスプレー下端とキートップの距離を２０ｍｍ以下にすることができる。
【発明の効果】
【０００８】  従来の縦幅が２００ｍｍ以上２５０ｍｍ以下の比較的大きなディスプレーを有するノート型パソコンを操作するとき、遠近両用メガネを使用した操作者にとっては、前記図６に示す従来例の様にディスプレーのほぼ中央部から上方の位置は中から遠距離を見る位置であるために、メガネの近焦点に合わせるために顎を上げてディスプレーに焦点を合わす必要があった。一方、しかしこの状態ではキーボードが視界からはずれてしまうめ、キーボードを見るときには顎を下げることになり、この焦点合わせのための顎の上げ下げは操作者にとって負担となり、疲労や肩こりの原因となるという課題があった。本発明のノート型パソコンの実施形態例に示した様に遠近両用メガネを使用した操作者であっても、キーボード及びディスプレーは下端から２／３付近の位置まで焦点が合っており、目の移動だけで焦点を合わすことができるため、操作者の顎の上げ下げ回数は、従来のノート型パソコンの場合と比較して大幅に減少させることができ、その結果、操作者の疲労や肩こりを低減させることができる効果がある。【０００９】  また、従来のノート型パソコンにあっては、遠近両用メガネでは疲労することから、パソコン操作のために近専用のメガネに掛け替える操作者も多い。しかし近専用メガネに掛け替えると今度は遠くが見えないことから度々掛け替える必要があり掛け替えの面倒があった。加えて近専用メガネを持ち歩く面倒もあった。本発明のノート型パソコンによれば、近専用のメガネは不要であり、掛け替えの面倒や近専用メガネを持ち歩く面倒が無くなる効果がある。【００１０】  さらに、遠近両用メガネを使用しない操作者にあっても、本発明のノート型パソコンによれば、キーボードとディスプレー全体の合計垂直視野角度が、従来のノート型パソコンと比較してかなり小さいことから、操作中の眼球及び顔の上下運動範囲が小さくなり、疲労を軽減することができるという効果があり、本発明は遠近両用メガネとの組み合わせに限定されるものではない。
【発明を実施するための最良の形態】
【００１１】  以下、本発明の実施の形態例を図１、図２、図３、図４及び図５に基づいて、従来例である図６と比較して説明する。【００１２】（実施形態１）
図１は、本発明の実施の形態１を示し、ノート型パソコンの外観説明斜視図であり、ヒンジ３により開閉する蓋を兼ねたディスプレー部１と、キーボード５を有する本体部２から構成されている。本発明は、ディスプレー部１に設けられたディスプレー４の下端６と、キーボード５に配設された操作者から最も遠い位置に並べられたキートップ７との距離９が、ディスプレー部を開いて操作状態のときに、２０ｍｍ以下であることを特徴としている。【００１３】（実施形態２）
図２は、本発明の実施の形態２のノート型パソコンの開閉ヒンジ部の側面拡大図を示し、開閉ヒンジの軸中心８ｂの位置はキートップ７ｂ表面より上部側にあり、ディスプレー４ｂの下端６ｂとキーボードに配設された操作者から最も遠い位置あるキートップ７ｂとの距離９ｂを２０ｍｍ以下とした構造である。【００１４】  図３は、前記実施の形態２のノート型パソコン全体の側面と操作者の操作時における目の位置２０ｂを示し、目の位置２０ｂを中心にしてキーボード５ｂの操作者から最も近い位置のキートップ１１ｂと、ディスプレー４ｂのディスプレー上端部１２ｂの垂直角度及び遠近両用メガネ（累進ＡＤＤ２．２５）で近距離として焦点が合う垂直視野角度の範囲１３ｂを示しており、遠近両用メガネを使用した操作者が顎を上げ下げしないで焦点が合うディスプレー範囲はディスプレー下端６ｂから１５０ｍｍ付近であり、ディスプレーの縦幅２１４ｍｍの７０％と２／３以上であり、前記図６における従来例で示した約１／２と比較して、かなり大きい。【００１５】（実施形態３）
図４は、本発明の実施の形態３のノート型パソコンの開閉ヒンジ部の側面拡大図を示し、軸中心８ｃが、本体部のキートップ７ｃ表面より裏面側であって、かつキーボードを平面的に見てキーボードの外周枠の操作者から遠い位置の辺を含む立平面１０から５ｍｍ以内の位置に設け、ディスプレー４ｃの下端６ｃとキーボードに配設された操作者から最も遠い位置あるキートップ７ｃとの距離９ｃを２０ｍｍ以下とした構造である。この構造によれば次に示す利点が得られる。すなわち、前記図２に示す構造で、前記ディスプレー下端６ｃと操作者から最も遠い位置にあるキートップ７ｃとの距離を２０ｍｍ以下とするためには、ディスプレーの下部の額縁幅をかなり小さくしなければならないという構造上の制約があったが、本構造によれば、ディスプレー下部の額縁幅を無理に小さく設計することなくディスプレー下端とキートップの距離を２０ｍｍ以下にすることができる。【００１６】  図５は、前記実施の形態３のノート型パソコン全体の側面と操作者の操作時における目の位置２０ｃを例示し、目の位置２０ｃを中心にしてキーボード５ｃの操作者から最も近い位置のキートップ１１ｃと、ディスプレー４ｃのディスプレー上端部１２ｃの垂直角度及び遠近両用メガネ（累進ＡＤＤ２．２５）で近距離として焦点が合う垂直視野角度の範囲１３ｃを示しており、遠近両用メガネを使用した操作者が顎を上げ下げしないで焦点が合うディスプレー範囲はディスプレー下端６ｂから１７０ｍｍ付近であり、ディスプレーの縦幅２１４ｍｍの７９％と２／３以上であり、前記図６における従来例で示した約１／２と比較して、非常に大きい。
【図面の簡単な説明】
【００１７】
【図１】本発明の実施形態例１の外観説明斜視図
【図２】本発明の実施形態例２の開閉ヒンジ部の側面拡大図
【図３】本発明の実施形態例２の操作時に焦点が合う垂直視野角範囲を示す図
【図４】本発明の実施形態例３の開閉ヒンジ部の側面拡大図
【図５】本発明の実施形態例３の操作時に焦点が合う垂直視野角範囲を示す図
【図６】従来例ノート型パソコンの操作時に焦点が合う垂直視野角範囲を示す図
【符号の説明】
【００１８】１…ディスプレー部
２…本体部
３、３ａ…ヒンジ
４、４ａ、４ｂ、４ｃ…ディスプレー
５、５ａ、５ｂ、５ｃ…キーボード
６、６ａ、６ｂ、６ｃ…ディスプレーの下端
７、７ｂ、７ｃ…キートップ
８、８ａ、８ｂ、８ｃ…ヒンジの軸中心
９、９ｂ、９ｃ…ディスプレー下端と最も遠い位置のキートップとの距離
１０…キーボードの外周枠の操作者から遠い位置の辺を含む立平面（含曲面）
１１、１１ａ、１１ｂ、１１ｃ…操作者から最も近い位置にあるキートップ
１２、１２ａ、１２ｂ、１２ｃ…ディスプレー上端部
１３、１３ａ、１３ｂ、１３ｃ…垂直視野角度範囲
２０ａ、２０ｂ、２０ｃ…目の位置
【図１】
2009245410.tif 000003
【図２】
2009245410.tif 000004
【図３】
2009245410.tif 000005
【図４】
2009245410.tif 000006
【図５】
2009245410.tif 000007
【図６】
2009245410.tif 000008